【手続補正書】
【提出日】令和2年2月14日(2020.2.14)
【手続補正１】
【補正対象書類名】特許請求の範囲
【補正対象項目名】全文
【補正方法】変更
【補正の内容】
【特許請求の範囲】
【請求項１】
少なくとも１つの画像ユニットを符号化する方法であって、
前記少なくとも１つの画像ユニットを符号化することと、
前記少なくとも１つの画像ユニットを少なくとも１つの復元済み画像ユニットに復元することと、
前記少なくとも１つの復元済み画像ユニットにサンプル・アダプティブ・オフセット・フィルタを適用することと、
を含み、
前記少なくとも１つの復元済み画像ユニットにサンプル・アダプティブ・オフセット・フィルタを適用することは、
前記復元済み画像ユニットの少なくとも１つの画素に対して、カテゴリセット内の少なくとも１つの現在のカテゴリを決定することと、
前記カテゴリセットの少なくとも１つのカテゴリに対するオフセット値を符号化することと、
前記現在のカテゴリが、符号化オフセット値を有する前記カテゴリに等しい場合のみ、前記カテゴリに割り当てられた前記復元済み画像ユニットの前記少なくとも１つの画素に対してプレフィルタを適用することと、
前記復元済み画像ユニットの前記少なくとも１つの画素に対して前記符号化オフセット値を加算することと、
を含む、方法。
【請求項２】
少なくとも前記復元済み画像ユニットに対するプレフィルタリング・インジケータを符号化することを更に含み、前記プレフィルタは、前記現在のカテゴリが符号化オフセット値を有する前記カテゴリに等しく、かつ前記プレフィルタリング・インジケータが、前記復元済み画像ユニットがプレフィルタリング処理されるべきであることを示す場合のみ、前記カテゴリに割り当てられた前記復元済み画像ユニットの前記少なくとも１つの画素に適用される、請求項１に記載の方法。
【請求項３】
前記プレフィルタは、前記現在のカテゴリが符号化オフセット値を有する前記カテゴリに等しく、かつ前記符号化オフセット値がゼロに等しくない場合のみ、前記カテゴリに割り当てられた前記復元済み画像ユニットの前記少なくとも１つの画素に適用される、請求項１又は２に記載の方法。
【請求項４】
プレフィルタリング処理される前記復元済み画像ユニットの画素に対して、前記プレフィルタは、関連付けられた符号化オフセット値を有するカテゴリに割り当てられた前記復元済み画像ユニット内のフィルタリング窓の全ての画素を考慮するメジアンフィルタである、請求項１〜３のいずれか一項に記載の方法。
【請求項５】
プレフィルタリング処理される前記復元済み画像ユニットの画素に対して、前記プレフィルタは、プレフィルタリング処理される前記画素と同じカテゴリに割り当てられた前記復元済み画像ユニット内のフィルタリング窓の画素を考慮したメジアンフィルタである、請求項１〜３のいずれか一項に記載の方法。
【請求項６】
プレフィルタリング処理される前記復元済み画像ユニットの画素に対して、前記プレフィルタは、関連付けられた符号化オフセット値を有するカテゴリに割り当てられた前記復元済み画像ユニット内のフィルタリング窓の少なくとも１つの画素を考慮し、かつ前記１つの画素と、プレフィルタリング処理される前記画素の値との差が、所定の閾値未満であるメジアンフィルタである、請求項１〜３のいずれか一項に記載の方法。
【請求項７】
少なくとも１つの画像ユニットを表すストリームを復号する方法であって、
前記ストリームを復号して、少なくとも１つの復元済み画像ユニットを取得することと、
前記少なくとも１つの復元済み画像ユニットにサンプル・アダプティブ・オフセット・フィルタを適用することと、
を含み、
前記少なくとも１つの復元済み画像ユニットにサンプル・アダプティブ・オフセット・フィルタを適用することは、
前記復元済み画像ユニットの少なくとも１つの画素に対して、カテゴリセット内の少なくとも１つの現在のカテゴリを決定することと、
前記カテゴリセットの少なくとも１つのカテゴリに対するオフセット値を復号することと、
前記現在のカテゴリが、復号オフセット値を有する前記カテゴリに等しい場合のみ、前記カテゴリに割り当てられた前記復元済み画像ユニットの前記少なくとも１つの画素に対してプレフィルタを適用することと、
前記復元済み画像ユニットの前記少なくとも１つの画素に対して前記復号オフセット値を加算することと、
を含む、方法。
【請求項８】
少なくとも前記復元済み画像ユニットに対するプレフィルタリング・インジケータを復号することを更に含み、前記プレフィルタは、前記現在のカテゴリが復号オフセット値を有する前記カテゴリに等しく、及び前記プレフィルタリング・インジケータが、前記復元済み画像ユニットがプレフィルタリング処理されるべきであることを示す場合のみ、前記カテゴリに割り当てられた前記復元済み画像ユニットの前記少なくとも１つの画素に適用される、請求項７に記載の方法。
【請求項９】
前記プレフィルタは、前記現在のカテゴリが復号オフセット値を有する前記カテゴリに等しく、及び前記復号オフセット値がゼロに等しくない場合のみ、前記カテゴリに割り当てられた前記復元済み画像ユニットの前記少なくとも１つの画素に適用される、請求項７又は８に記載の方法。
【請求項１０】
プレフィルタリング処理される前記復元済み画像ユニットの画素に対して、前記プレフィルタは、関連付けられた復号オフセット値を有するカテゴリに割り当てられた前記復元済み画像ユニット内のフィルタリング窓の全ての画素を考慮するメジアンフィルタである、請求項７〜９のいずれか一項に記載の方法。
【請求項１１】
プレフィルタリング処理される前記復元済み画像ユニットの画素に対して、前記プレフィルタは、プレフィルタリング処理される前記画素と同じカテゴリに割り当てられた前記復元済み画像ユニット内のフィルタリング窓の画素を考慮したメジアンフィルタである、請求項７〜９のいずれか一項に記載の方法。
【請求項１２】
プレフィルタリング処理される前記復元済み画像ユニットの画素に対して、前記プレフィルタは、関連付けられた復号オフセット値を有するカテゴリに割り当てられた前記復元済み画像ユニット内のフィルタリング窓の少なくとも１つの画素を考慮し、及び前記１つの画素と、プレフィルタリング処理される前記画素の値との差が、所定の閾値未満であるメジアンフィルタである、請求項７〜９のいずれか一項に記載の方法。
【請求項１３】
少なくとも１つの画像ユニットを符号化するデバイスであって、
前記少なくとも１つの画像ユニットを符号化し、
前記少なくとも１つの画像ユニットを少なくとも１つの復元済み画像ユニットに復元し、
前記少なくとも１つの復元済み画像ユニットにサンプル・アダプティブ・オフセット・フィルタを適用するように構成された、少なくとも１つのプロセッサを含み、
前記少なくとも１つの復元済み画像ユニットにサンプル・アダプティブ・オフセット・フィルタを適用するように構成された前記少なくとも１つのプロセッサは、
前記復元済み画像ユニットの少なくとも１つの画素に対して、カテゴリセット内の少なくとも１つの現在のカテゴリを決定し、
前記カテゴリセットの少なくとも１つのカテゴリに対するオフセット値を符号化し、
前記現在のカテゴリが、符号化オフセット値を有する前記カテゴリに等しい場合のみ、前記カテゴリに割り当てられた前記復元済み画像ユニットの前記少なくとも１つの画素に対してプレフィルタを適用し、
前記復元済み画像ユニットの前記少なくとも１つの画素に対して前記符号化オフセット値を加算するようにも構成される、デバイス。
【請求項１４】
前記少なくとも１つのプロセッサは、少なくとも前記復元済み画像ユニットに対するプレフィルタリング・インジケータを符号化するように更に構成され、及び前記プレフィルタは、前記現在のカテゴリが符号化オフセット値を有する前記カテゴリに等しく、及び前記プレフィルタリング・インジケータが、前記復元済み画像ユニットがプレフィルタリング処理されるべきであることを示す場合のみ、前記カテゴリに割り当てられた前記復元済み画像ユニットの前記少なくとも１つの画素に適用される、請求項１３に記載のデバイス。
【請求項１５】
前記プレフィルタは、前記現在のカテゴリが符号化オフセット値を有する前記カテゴリに等しく、及び前記符号化オフセット値がゼロに等しくない場合のみ、前記カテゴリに割り当てられた前記復元済み画像ユニットの前記少なくとも１つの画素に適用される、請求項１３又は１４に記載のデバイス。
【請求項１６】
プレフィルタリング処理される前記復元済み画像ユニットの画素に対して、前記プレフィルタは、関連付けられた符号化オフセット値を有するカテゴリに割り当てられた前記復元済み画像ユニット内のフィルタリング窓の全ての画素を考慮するメジアンフィルタである、請求項１３〜１５のいずれか一項に記載のデバイス。
【請求項１７】
プレフィルタリング処理される前記復元済み画像ユニットの画素に対して、前記プレフィルタは、プレフィルタリング処理される前記画素と同じカテゴリに割り当てられた前記復元済み画像ユニット内のフィルタリング窓の画素を考慮したメジアンフィルタである、請求項１３〜１５のいずれか一項に記載のデバイス。
【請求項１８】
プレフィルタリング処理される前記復元済み画像ユニットの画素に対して、前記プレフィルタは、関連付けられた符号化オフセット値を有するカテゴリに割り当てられた前記復元済み画像ユニット内のフィルタリング窓の少なくとも１つの画素を考慮し、及び前記１つの画素と、プレフィルタリング処理される前記画素の値との差が、所定の閾値未満であるメジアンフィルタである、請求項１３〜１５のいずれか一項に記載のデバイス。
【請求項１９】
少なくとも１つの画像ユニットを表すストリームを復号するデバイスであって、
前記ストリームを復号して少なくとも１つの復元済み画像ユニットを取得し、
前記少なくとも１つの復元済み画像ユニットにサンプル・アダプティブ・オフセット・フィルタを適用するように構成された、少なくとも１つのプロセッサを含み、
前記少なくとも１つの復元済み画像ユニットにサンプル・アダプティブ・オフセット・フィルタを適用するように構成された前記少なくとも１つのプロセッサは、
前記復元済み画像ユニットの少なくとも１つの画素に対して、カテゴリセット内の少なくとも１つの現在のカテゴリを決定し、
前記カテゴリセットの少なくとも１つのカテゴリに対するオフセット値を復号し、
前記現在のカテゴリが、復号オフセット値を有する前記カテゴリに等しい場合のみ、前記カテゴリに割り当てられた前記復元済み画像ユニットの前記少なくとも１つの画素に対してプレフィルタを適用し、
前記復元済み画像ユニットの前記少なくとも１つの画素に対して前記復号オフセット値を加算するようにも構成される、デバイス。
【請求項２０】
前記少なくとも１つのプロセッサは、少なくとも前記復元済み画像ユニットに対するプレフィルタリング・インジケータを復号するように更に構成され、及び前記プレフィルタは、前記現在のカテゴリが復号オフセット値を有する前記カテゴリに等しく、及び前記プレフィルタリング・インジケータが、前記復元済み画像ユニットがプレフィルタリング処理されるべきであることを示す場合のみ、前記カテゴリに割り当てられた前記復元済み画像ユニットの前記少なくとも１つの画素に適用される、請求項１９に記載のデバイス。
【請求項２１】
前記プレフィルタは、前記現在のカテゴリが復号オフセット値を有する前記カテゴリに等しく、及び前記復号オフセット値がゼロに等しくない場合のみ、前記カテゴリに割り当てられた前記復元済み画像ユニットの前記少なくとも１つの画素に適用される、請求項１９又は２０に記載のデバイス。
【請求項２２】
プレフィルタリング処理される前記復元済み画像ユニットの画素に対して、前記プレフィルタは、関連付けられた復号オフセット値を有するカテゴリに割り当てられた前記復元済み画像ユニット内のフィルタリング窓の全ての画素を考慮するメジアンフィルタである、請求項１９〜２１のいずれか一項に記載のデバイス。
【請求項２３】
プレフィルタリング処理される前記復元済み画像ユニットの画素に対して、前記プレフィルタは、プレフィルタリング処理される前記画素と同じカテゴリに割り当てられた前記復元済み画像ユニット内のフィルタリング窓の画素を考慮したメジアンフィルタである、請求項１９〜２１のいずれか一項に記載のデバイス。
【請求項２４】
プレフィルタリング処理される前記復元済み画像ユニットの画素に対して、前記プレフィルタは、関連付けられた復号オフセット値を有するカテゴリに割り当てられた前記復元済み画像ユニット内のフィルタリング窓の少なくとも１つの画素を考慮し、及び前記１つの画素と、プレフィルタリング処理される前記画素の値との差が、所定の閾値未満であるメジアンフィルタである、請求項１９〜２１のいずれか一項に記載のデバイス。
【手続補正２】
【補正対象書類名】明細書
【補正対象項目名】０１０５
【補正方法】変更
【補正の内容】
【０１０５】
コンピュータ可読ストレージ媒体は、１つ又は複数のコンピュータ可読媒体において具現化され、及びコンピュータによって実行可能な、コンピュータ可読媒体上で具現化されたコンピュータ可読プログラムコードを有したコンピュータ可読プログラムプロダクトの形をとり得る。本明細書におけるコンピュータ可読ストレージ媒体は、情報をその中に保存する固有の能力、並びに情報をそこから取り出す固有の能力を持つ非一時的ストレージ媒体と見なされる。コンピュータ可読ストレージ媒体は、例えば、限定されることはないが、電子、磁気、光学、電磁、赤外線、又は半導体のシステム、装置、又はデバイス、又は上記の適宜の組み合わせでもよい。以下は、本態様を適用することができるコンピュータ可読ストレージ媒体のより具体的な例を提供するが、当業者には容易に理解されるように、単なる例示的なリストであり、徹底的なリストではないことが理解されるものとする：ポータブルコンピュータディスク、ハードディスク、ランダムアクセスメモリ（ＲＡＭ）、読み出し専用メモリ（ＲＯＭ）、消去可能プログラマブル読み出し専用メモリ（ＥＰＲＯＭ又はフラッシュメモリ）、ポータブルコンパクトディスク読み出し専用メモリ（ＣＤ−ＲＯＭ）、光学式ストレージデバイス、磁気ストレージデバイス、又は上記の適宜の組み合わせ。
上述の実施形態の一部又は全部は、以下の付記のように記載され得るが、以下には限定されない。
（付記１）
少なくとも１つの画像ユニットを符号化する方法であって、
前記少なくとも１つの画像ユニットを符号化すること（４１）と、
前記少なくとも１つの画像ユニットを少なくとも１つの復元済み画像ユニットに復元すること（４２）と、
前記少なくとも１つの復元済み画像ユニットにサンプル・アダプティブ・オフセット・フィルタを適用すること（４３）と、
を含み、
前記少なくとも１つの復元済み画像ユニットにサンプル・アダプティブ・オフセット・フィルタを適用することは、
前記復元済み画像ユニットの少なくとも１つの画素に対して、カテゴリセット内の少なくとも１つの現在のカテゴリを決定すること（４３１）と、
前記カテゴリセットの少なくとも１つのカテゴリに対するオフセット値を符号化すること（４３２）と、
前記現在のカテゴリが、符号化オフセット値を有する前記カテゴリに等しい場合のみ、前記カテゴリに割り当てられた前記復元済み画像ユニットの前記少なくとも１つの画素に対してプレフィルタを適用すること（４３３）と、
前記復元済み画像ユニットの前記少なくとも１つの画素に対して前記符号化オフセット値を加算すること（４３４）と、
を含む、方法。
（付記２）
少なくとも前記復元済み画像ユニットに対するプレフィルタリング・インジケータを符号化することを更に含み、前記プレフィルタは、前記現在のカテゴリが符号化オフセット値を有する前記カテゴリに等しく、かつ前記プレフィルタリング・インジケータが、前記復元済み画像ユニットがプレフィルタリング処理されるべきであることを示す場合のみ、前記カテゴリに割り当てられた前記復元済み画像ユニットの前記少なくとも１つの画素に適用される、付記１に記載の方法。
（付記３）
前記プレフィルタは、前記現在のカテゴリが符号化オフセット値を有する前記カテゴリに等しく、かつ前記符号化オフセット値がゼロに等しくない場合のみ、前記カテゴリに割り当てられた前記復元済み画像ユニットの前記少なくとも１つの画素に適用される、付記１又は２に記載の方法。
（付記４）
プレフィルタリング処理される前記復元済み画像ユニットの画素に対して、前記プレフィルタは、関連付けられた符号化オフセット値を有するカテゴリに割り当てられた前記復元済み画像ユニット内のフィルタリング窓の全ての画素を考慮するメジアンフィルタである、付記１〜３のいずれか一項に記載の方法。
（付記５）
プレフィルタリング処理される前記復元済み画像ユニットの画素に対して、前記プレフィルタは、プレフィルタリング処理される前記画素と同じカテゴリに割り当てられた前記復元済み画像ユニット内のフィルタリング窓の画素を考慮したメジアンフィルタである、付記１〜３のいずれか一項に記載の方法。
（付記６）
プレフィルタリング処理される前記復元済み画像ユニットの画素に対して、前記プレフィルタは、関連付けられた符号化オフセット値を有するカテゴリに割り当てられた前記復元済み画像ユニット内のフィルタリング窓の少なくとも１つの画素を考慮し、かつ前記１つの画素と、プレフィルタリング処理される前記画素の値との差が、所定の閾値未満であるメジアンフィルタである、付記１〜３のいずれか一項に記載の方法。
（付記７）
少なくとも１つの画像ユニットを表すストリームを復号する方法であって、
前記ストリームを復号して、少なくとも１つの復元済み画像ユニットを取得すること（６１）と、
前記少なくとも１つの復元済み画像ユニットにサンプル・アダプティブ・オフセット・フィルタを適用すること（６２）と、
を含み、
前記少なくとも１つの復元済み画像ユニットにサンプル・アダプティブ・オフセット・フィルタを適用することは、
前記復元済み画像ユニットの少なくとも１つの画素に対して、カテゴリセット内の少なくとも１つの現在のカテゴリを決定すること（６２１）と、
前記カテゴリセットの少なくとも１つのカテゴリに対するオフセット値を復号すること（６２２）と、
前記現在のカテゴリが、復号オフセット値を有する前記カテゴリに等しい場合のみ、前記カテゴリに割り当てられた前記復元済み画像ユニットの前記少なくとも１つの画素に対してプレフィルタを適用すること（６２３）と、
前記復元済み画像ユニットの前記少なくとも１つの画素に対して前記復号オフセット値を加算すること（６２４）と、
を含む、方法。
（付記８）
少なくとも前記復元済み画像ユニットに対するプレフィルタリング・インジケータを復号することを更に含み、前記プレフィルタは、前記現在のカテゴリが復号オフセット値を有する前記カテゴリに等しく、及び前記プレフィルタリング・インジケータが、前記復元済み画像ユニットがプレフィルタリング処理されるべきであることを示す場合のみ、前記カテゴリに割り当てられた前記復元済み画像ユニットの前記少なくとも１つの画素に適用される、付記７に記載の方法。
（付記９）
前記プレフィルタは、前記現在のカテゴリが復号オフセット値を有する前記カテゴリに等しく、及び前記復号オフセット値がゼロに等しくない場合のみ、前記カテゴリに割り当てられた前記復元済み画像ユニットの前記少なくとも１つの画素に適用される、付記７又は８に記載の方法。
（付記１０）
プレフィルタリング処理される前記復元済み画像ユニットの画素に対して、前記プレフィルタは、関連付けられた復号オフセット値を有するカテゴリに割り当てられた前記復元済み画像ユニット内のフィルタリング窓の全ての画素を考慮するメジアンフィルタである、付記７〜９のいずれか一項に記載の方法。
（付記１１）
プレフィルタリング処理される前記復元済み画像ユニットの画素に対して、前記プレフィルタは、プレフィルタリング処理される前記画素と同じカテゴリに割り当てられた前記復元済み画像ユニット内のフィルタリング窓の画素を考慮したメジアンフィルタである、付記７〜９のいずれか一項に記載の方法。
（付記１２）
プレフィルタリング処理される前記復元済み画像ユニットの画素に対して、前記プレフィルタは、関連付けられた復号オフセット値を有するカテゴリに割り当てられた前記復元済み画像ユニット内のフィルタリング窓の少なくとも１つの画素を考慮し、及び前記１つの画素と、プレフィルタリング処理される前記画素の値との差が、所定の閾値未満であるメジアンフィルタである、付記７〜９のいずれか一項に記載の方法。
（付記１３）
少なくとも１つの画像ユニットを符号化するデバイスであって、
前記少なくとも１つの画像ユニットを符号化し、
前記少なくとも１つの画像ユニットを少なくとも１つの復元済み画像ユニットに復元し、
前記少なくとも１つの復元済み画像ユニットにサンプル・アダプティブ・オフセット・フィルタを適用するように構成された、少なくとも１つのプロセッサを含み、
前記少なくとも１つの復元済み画像ユニットにサンプル・アダプティブ・オフセット・フィルタを適用するように構成された前記少なくとも１つのプロセッサは、
前記復元済み画像ユニットの少なくとも１つの画素に対して、カテゴリセット内の少なくとも１つの現在のカテゴリを決定し、
前記カテゴリセットの少なくとも１つのカテゴリに対するオフセット値を符号化し、
前記現在のカテゴリが、符号化オフセット値を有する前記カテゴリに等しい場合のみ、前記カテゴリに割り当てられた前記復元済み画像ユニットの前記少なくとも１つの画素に対してプレフィルタを適用し、
前記復元済み画像ユニットの前記少なくとも１つの画素に対して前記符号化オフセット値を加算するようにも構成される、デバイス。
（付記１４）
前記少なくとも１つのプロセッサは、少なくとも前記復元済み画像ユニットに対するプレフィルタリング・インジケータを符号化するように更に構成され、及び前記プレフィルタは、前記現在のカテゴリが符号化オフセット値を有する前記カテゴリに等しく、及び前記プレフィルタリング・インジケータが、前記復元済み画像ユニットがプレフィルタリング処理されるべきであることを示す場合のみ、前記カテゴリに割り当てられた前記復元済み画像ユニットの前記少なくとも１つの画素に適用される、付記１３に記載のデバイス。
（付記１５）
前記プレフィルタは、前記現在のカテゴリが符号化オフセット値を有する前記カテゴリに等しく、及び前記符号化オフセット値がゼロに等しくない場合のみ、前記カテゴリに割り当てられた前記復元済み画像ユニットの前記少なくとも１つの画素に適用される、付記１３又は１４に記載のデバイス。
（付記１６）
プレフィルタリング処理される前記復元済み画像ユニットの画素に対して、前記プレフィルタは、関連付けられた符号化オフセット値を有するカテゴリに割り当てられた前記復元済み画像ユニット内のフィルタリング窓の全ての画素を考慮するメジアンフィルタである、付記１３〜１５のいずれか一項に記載のデバイス。
（付記１７）
プレフィルタリング処理される前記復元済み画像ユニットの画素に対して、前記プレフィルタは、プレフィルタリング処理される前記画素と同じカテゴリに割り当てられた前記復元済み画像ユニット内のフィルタリング窓の画素を考慮したメジアンフィルタである、付記１３〜１５のいずれか一項に記載のデバイス。
（付記１８）
プレフィルタリング処理される前記復元済み画像ユニットの画素に対して、前記プレフィルタは、関連付けられた符号化オフセット値を有するカテゴリに割り当てられた前記復元済み画像ユニット内のフィルタリング窓の少なくとも１つの画素を考慮し、及び前記１つの画素と、プレフィルタリング処理される前記画素の値との差が、所定の閾値未満であるメジアンフィルタである、付記１３〜１５のいずれか一項に記載のデバイス。
（付記１９）
少なくとも１つの画像ユニットを表すストリームを復号するデバイスであって、
前記ストリームを復号して少なくとも１つの復元済み画像ユニットを取得し、
前記少なくとも１つの復元済み画像ユニットにサンプル・アダプティブ・オフセット・フィルタを適用するように構成された、少なくとも１つのプロセッサを含み、
前記少なくとも１つの復元済み画像ユニットにサンプル・アダプティブ・オフセット・フィルタを適用するように構成された前記少なくとも１つのプロセッサは、
前記復元済み画像ユニットの少なくとも１つの画素に対して、カテゴリセット内の少なくとも１つの現在のカテゴリを決定し、
前記カテゴリセットの少なくとも１つのカテゴリに対するオフセット値を復号し、
前記現在のカテゴリが、復号オフセット値を有する前記カテゴリに等しい場合のみ、前記カテゴリに割り当てられた前記復元済み画像ユニットの前記少なくとも１つの画素に対してプレフィルタを適用し、
前記復元済み画像ユニットの前記少なくとも１つの画素に対して前記復号オフセット値を加算するようにも構成される、デバイス。
（付記２０）
前記少なくとも１つのプロセッサは、少なくとも前記復元済み画像ユニットに対するプレフィルタリング・インジケータを復号するように更に構成され、及び前記プレフィルタは、前記現在のカテゴリが復号オフセット値を有する前記カテゴリに等しく、及び前記プレフィルタリング・インジケータが、前記復元済み画像ユニットがプレフィルタリング処理されるべきであることを示す場合のみ、前記カテゴリに割り当てられた前記復元済み画像ユニットの前記少なくとも１つの画素に適用される、付記１９に記載のデバイス。
（付記２１）
前記プレフィルタは、前記現在のカテゴリが復号オフセット値を有する前記カテゴリに等しく、及び前記復号オフセット値がゼロに等しくない場合のみ、前記カテゴリに割り当てられた前記復元済み画像ユニットの前記少なくとも１つの画素に適用される、付記１９又は２０に記載のデバイス。
（付記２２）
プレフィルタリング処理される前記復元済み画像ユニットの画素に対して、前記プレフィルタは、関連付けられた復号オフセット値を有するカテゴリに割り当てられた前記復元済み画像ユニット内のフィルタリング窓の全ての画素を考慮するメジアンフィルタである、付記１９〜２１のいずれか一項に記載のデバイス。
（付記２３）
プレフィルタリング処理される前記復元済み画像ユニットの画素に対して、前記プレフィルタは、プレフィルタリング処理される前記画素と同じカテゴリに割り当てられた前記復元済み画像ユニット内のフィルタリング窓の画素を考慮したメジアンフィルタである、付記１９〜２１のいずれか一項に記載のデバイス。
（付記２４）
プレフィルタリング処理される前記復元済み画像ユニットの画素に対して、前記プレフィルタは、関連付けられた復号オフセット値を有するカテゴリに割り当てられた前記復元済み画像ユニット内のフィルタリング窓の少なくとも１つの画素を考慮し、及び前記１つの画素と、プレフィルタリング処理される前記画素の値との差が、所定の閾値未満であるメジアンフィルタである、付記１９〜２１のいずれか一項に記載のデバイス。